(57)【要約】吸収体１の裏面側の略中央位置に、略直線状の第１弾性部材９を添着するとともに、第１弾性部材９の直線近接部分９ａの前端から前広がり状に前方に延在するように前広がり部分９ｂを添着するとともに、直線近接部分９ａの後端から後広がり状に後方に延在するように後広がり状部分９ｃを添着することにより、第１弾性部材９の収縮作用によって、吸収体１の股間中央部、前部および後部に対する密着性が良好になって、股間全体に対する吸収体１全体の密着性が良好になる。
2004037145.tif 000002
【特許請求の範囲】
【請求項１】
吸収体の裏面側における幅方向の略中央位置に、所定の長さで略直線状に延在する第１弾性部材が添着されていることを特徴とする使い捨て着用物品。
【請求項２】
上記第１弾性部材は、直線近接部分の前端から前広がり状に前方に延在するように添着されている請求項１記載の使い捨て着用物品。
【請求項３】
上記第１弾性部材は、直線近接部分の後端から後広がり状に後方に延在するように添着されている請求項１または２に記載の使い捨て着用物品。
【請求項４】
上記吸収体の裏面側における幅方向の両側位置に、所定の長さで略直線状に延在する第２弾性部材が添着されている請求項１から３のいずれか１項に記載の使い捨て着用物品。
【請求項５】
上記吸収体は、バックシートとトップシートと吸収性コアとを有して、上記第１弾性部材または／および第２弾性部材は、２枚重ねのバックシートの間に添設されている請求項１〜４のいずれか１項に記載の使い捨て着用物品。
【請求項６】
上記吸収体の両側に立ち上がりフラップが設けられている請求項１〜５のいずれか１項に記載の使い捨て着用物品。
【請求項７】
前腹部と後背部との間の股部両側にレッグ用開口部が形成されてなる外装シートが設けられ、上記吸収体は、外装シートの肌面側の股部に取付けられている請求項１〜６のいずれか１項に記載の使い捨て着用物品。
【請求項８】
肌面側に吸収体が取付けられた外装シートの幅方向の略中央位置に、長さ方向に所定の長さで略直線状に延在する第１弾性部材が添着されていることを特徴とする使い捨て着用物品。
【請求項９】
上記第１弾性部材は、直線近接部分の前端から前広がり状に前方に延在するように添着されている請求項８に記載の使い捨て着用物品。
【請求項１０】
上記第１弾性部材は、直線近接部分の後端から後広がり状に後方に延在するように添着されている請求項８または９に記載の使い捨て着用物品。
【請求項１１】
外装シートを長さ方向に２つに切断して拡幅する工程と、
拡幅した外装シートに跨るように吸収体を取付ける工程と、
レッグ開口部を作成する工程とを含むことを特徴とする使い捨て着用物品の製造方法。
【発明の詳細な説明】
【技術分野】  本発明は、使い捨て着用物品およびその製造方法に関する。
【背景技術】  従来、使い捨てパンツタイプの体液吸収性着用物品としては、幼児用のパンツ型おむつやトレーニングパンツ、大人用おむつ、失禁パンツ、女性用の生理処理パンツなどがあり、かかる使い捨て着用物品では、特開平９−５６７４７号公報に開示されているように、外装シートの肌面側に吸収体を取付けている。
上記のような使い捨て着用物品の内、特に生理処理パンツでは、股間全体に対する吸収体全体の密着性が強く要望されている。
また、着用時に見栄えの良い使い捨て着用物品が要望されている。
本発明は、上記要望に応えるためになされたもので、股間全体に対する吸収体全体の密着性が良好な使い捨て着用物品を提供することを課題とするものである。
本発明の別の目的は、着用時に見栄えの良い使い捨て着用物品およびその製造方法を提供することである。
【発明の開示】
本発明は、吸収体の裏面側における幅方向の略中央位置に、所定の長さで略直線状に延在する第１弾性部材が添着されていることを特徴とする使い捨て着用物品を提供する。
上記使い捨て着用物品は、吸収体の裏面側の略中央位置に、略直線状の第１弾性部材を添着することにより、この第１弾性部材の収縮作用によって、吸収体の肌面側の中央部が所定の長さで盛り上がるようになるから、吸収体の股間中央部に対する密着性が良好になる。
また、上記第１弾性部材が直線近接部分の前端から前広がり状に前方に延在するように添着されていると、前広がり状の第１弾性部材の収縮作用によって、吸収体の肌面側の前部が前広がり状で盛り上がるようになるから、股間前部に対する密着性が良好になる。
また、上記第１弾性部材が直線近接部分の後端から後広がり状に後方に延在するように添着されていると、後広がり状の第１弾性部材の収縮作用によって、吸収体の肌面側の後部が後広がり状で盛り上がるようになるから、股間後部（臀部の谷間）に対する密着性が良好になる。
また、上記吸収体の裏面側における幅方向の両側位置に、所定の長さで略直線状に延在する第２弾性部材が添着されていると、第１、第２弾性部材の相互収縮作用によって、吸収体の肌面側の中央部が所定の長さでより高く盛り上がるようになる。
また、上記吸収体は、バックシートとトップシートと吸収性コアとを有して、上記第１部材または／および第２弾性部材は、２枚重ねのバックシートの間に添設されているのが好ましい。
また、上記吸収体の両側に立ち上がりフラップが設けられているのが好ましい。
また、前腹部と後背部との間の股部両側にレッグ用開口部が形成されてなる外装シートが設けられ、上記吸収体は、外装シートの肌面側の股部に取付けられているのが好ましい。
なお、上述の吸収体は、吸収体の無い外装シート（パンツやおむつなど）に交換可能に取付けたり、使い捨てパンツタイプの吸収体の上に交換可能に重ね置きして取付けたりすることができる。
本発明の他の使い捨て着用物品は、肌面側に吸収体が取付けられた外装シートの幅方向の略中央位置に、長さ方向に所定の長さで略直線状に延在する第１弾性部材が添着されていることを特徴とする。
上記使い捨て着用物品は、使い捨てパンツタイプの外装シートの略中央位置に、略直線状の第１弾性部材を添着することにより、この第１弾性部材の収縮作用によって、外装シートの肌面側の中央部が所定の長さで盛り上がるようになり、これに伴って吸収体の肌面側の中央部も所定の長さで盛り上がるようになるから、吸収体の股間中央部に対する密着性が良好になる。
また、上記第１弾性部材が直線近接部分の前端から前広がり状に前方に延在するように添着されていると、前広がり状の第１弾性部材の収縮作用によって、外装シートの肌面側の前部が前広がり状で盛り上がるようになり、これに伴って吸収体の肌面側の前部が前広がり状で盛り上がるようになるから、股間前部に対する密着性が良好になる。
また、上記第１弾性部材が直線近接部分の後端から後広がり湾曲状に後方に延在するように添着されていると、後広がり状の第１弾性部材の収縮作用によって、外装シートの肌面側の後部が後広がり状で盛り上がるようになり、これに伴って吸収体の肌面側の後部が後広がり状で盛り上がるようになるから、股間後部（臀部の谷間）に対する密着性が良好になる。
本発明はまた、外装シートを長さ方向に２つに切断して拡幅する工程と、拡幅した外装シートに跨るように吸収体を取付ける工程と、レッグ開口部を作成する工程とを含むことを特徴とする使い捨て着用物品の製造方法を提供する。
このような方法で製造された使い捨て着用物品は、着用時にパンツ形状に近似するので見栄えが良くなる。
【図面の簡単な説明】  図１は、吸収体の分解斜視図である。
図２（ａ）は、第１弾性部材を有する吸収体の斜視図、（ｂ）は、（ａ）の平面図、（ｃ）は、第１、第２弾性部材を有する吸収体の斜視図、（ｄ）は、（ｃ）の平面図である。
図３は吸収体であり、（ａ）は吸収体を伸長させた状態の平面状態の斜視図、（ｂ）は立体状態の斜視図である。
図４は、使い捨てパンツの分解斜視図である。
図５の（ａ）〜（ｄ）は、それぞれレッグ用弾性部材の添設例を示す平面図である。
図６は、使い捨てパンツの分解斜視図である。
図７の（ａ）〜（ｃ）は、それぞれレッグ用弾性部材の添設例を示す平面図である。
図８の（ａ）〜（ｃ）は、それぞれレッグ用弾性部材とボディフィット用弾性部材の添設例示す平面図である。
図９の（ａ）〜（ｄ）は、それぞれ前腹部と後背部の形状とボディフィット用弾性部材とレッグ回り弾性部材の添設例を示す平面図、（ｅ）はＳカットの要領を示す平面図である。
図１０は、図４の使い捨てパンツであり、（ａ）は前面側斜視図、（ｂ）は背面側斜視図、（ｃ）は要部断面図である。
図１１は、図６の使い捨てパンツであり、（ａ）は前面側斜視図、（ｂ）は背面側斜視図、（ｃ）は要部断面図である。
図１２は、第１例の使い捨てパンツの分解斜視図である。
図１３は、第２例の使い捨てパンツの分解斜視図である。
図１４は、図１２の使い捨てパンツであり、（ａ）は前面側斜視図、（ｂ）は背面側斜視図、（ｃ）は要部断面図である。
図１５は、図１３の使い捨てパンツであり、（ａ）は前面側斜視図、（ｂ）は背面側斜視図、（ｃ）は要部断面図である。
【発明を実施するための最良の形態】  以下、本発明の実施の形態を図面を参照して詳細に説明する。
図１〜図３に示すように、使い捨て着用物品である吸収体１は、２枚のバックシート２（Ａ，Ｂ）と吸収性コア３とトップシート４と左右一対の立ち上がりフラップ５とで基本構成されている。
上記バックシート２（Ａ，Ｂ）は、少なくとも一方が不透液性素材で構成され、不透液性素材としては合成樹脂製フィルムや撥水性不織布、透液性素材としては不織布を好適に用いることができ、２枚重ねで接着するバックシート２（Ａ，Ｂ）の間に、後述する第１弾性部材９が添設されている。なお、吸収体１は、バックシート２（Ａ，Ｂ）が不透液性素材でなくても、吸収性コア３の下に別のシートである不透液性素材が配置されていても良い。
上記吸収性コア３は、天然パルプ繊維、合成樹脂繊維および／または高吸水性樹脂材料などで構成されている。
上記トップシート４は、透液性不織布で構成されている。
上記左右一対の立ち上がりフラップ５は、撥水性または防水性を有する合成樹脂製不織布で構成されて、自由端部５ａには、前後方向に延びるフラップ用弾性部材６が伸長状態で接着されている。
この弾性部材６の材質としては、ポリウレタン、天然ゴム、フィルムなどが利用でき、弾性部材６の形状は、糸状、リボン状などが利用でき、１本使用に限らず複数本使用であっても良い。なお、後述する第１、第２弾性部材９，１０などの各弾性部材も同様である。
そして、上側のバックシート２（Ａ）の上に吸収性コア３を接着するとともに、この吸収性コア３をくるむようにして上側のバックシート２（Ａ）の上にトップシート４を接着して、その両側部分に立ち上がりフラップ５の基端部５ｂを接着することにより、吸収体１が完成するようになる。
上記２枚重ねで接着するバックシート２（Ａ，Ｂ）の間には、第１弾性部材９が伸長状態で添設されている。
第１弾性部材９は、吸収体１の幅方向の略中央位置で、一定の間隔Ｈ１内で、所定の長さＨ２で近接して延在するように左右一対で添設されて、近接部分９ａを形成している。上記間隔Ｈ１としては、５〜５０ｍｍ程度が適当であり、上記長さＨ２としては、１００〜３５０ｍｍ（幼児用は５０〜２５０ｍｍ）程度が適当である。
図１に示したように、第１弾性部材９は、近接部分９ａの前端から前広がりで前方Ｆに延在するように添着されて、前広がり部分９ｂを形成している。また、第１弾性部材９は、近接部分９ａの後端から後広がりで後方Ｂに延在するように添着されて、後広がり部分９ｃを形成している。この前広がり部分９ｂと後広がり部分９ｃは、略Ｖ字状であっても湾曲状であっても良い。
なお、図１の右下部分および図２（ｃ）（ｄ）に示したように、吸収体１を伸ばした状態で、吸収体１の幅方向の両側位置に、所定の長さＨ３で略直線状に延在するように、左右一対の第２弾性部材１０を伸長状態で添着することもできる。
上記長さＨ３としては、第１弾性部材９の前広がり状部分９ｂと後広がり状部分９ｃとにクロスしない長さが適当であるが、クロスするように構成されていても良い。
上記のように構成した吸収体１によれば、吸収体１の裏面側の略中央位置に、略直線状の第１弾性部材９を添着して近接部分９ａを形成したものであるから、図３（ａ）に示したように、この近接部分９ａの第１弾性部材９の収縮作用によって、吸収体１の肌面側の中央部が所定の長さＨ２で山形に盛り上がるようになるので、吸収体１の股間中央部に対する密着性が良好になる。
また、第１弾性部材９は、直線状部分の後端から後広がり状に後方に延在するように添着して後広がり部分９ｃを形成したものであるから、この後広がり部分９ｃの第１弾性部材９の収縮作用によって、吸収体１の肌面側の後部が後広がり状で盛り上がるようになるので、股間後部（臀部の谷間）に対する密着性が良好になる。
さらに、第１弾性部材９は、近接部分９ａの前端から前広がりに前方に延在するように添着して前広がり部分９ｂを形成したものであるから、この前広がり部分９ｂの第１弾性部材９の収縮作用によって、吸収体１の肌面側の前部が前広がり状で盛り上がるようになっても良く、股間前部に対する密着性が良好になる。この結果、股間全体に対する吸収体１全体の密着性が良好になり、体液吸収がより迅速になって横漏れするおそれが全くなくなる。
また、吸収体１の裏面側における幅方向の両側位置に、所定の長さＨ３で略直線状に延在する第２弾性部材１０を添着すると、第１、第２弾性部材９，１０の相互収縮作用によって、吸収体１の肌面側の中央部が所定の長さＨ２でより高く盛り上がるようになるから、股間中央部に対する密着性がより良好になる。
なお、第１弾性部材９は、近接部分９ａと前広がり部分９ｂと後広がり部分９ｃとの組み合わせが最適であるが、近接部分９ａだけであっても良く、また、近接部分９ａと前広がり部分９ｂとの組み合わせ、近接部分９ａと後広がり部分９ｃとの組み合わせであっても良い。
さらに、第１、第２弾性部材９，１０は、吸収体１の吸収性コア３と１枚のバックシート２との間に添設することもできるが、２枚重ねのバックシート２（Ａ，Ｂ）の間に添設すると、ラインによる生産が容易に行える。
さらにまた、吸収体１の両側に立ち上がりフラップ５を設けると、吸収体１の両側からの横漏れを確実に防止することができる。
上記吸収体１は、吸収体１の無い外装シート（パンツやおむつなど）に交換可能に取付けたり、使い捨てパンツタイプの吸収体の上に交換可能に重ね置きして取付けたりすることができるが、吸収体１の一部を盛り上げる手法を使い捨てパンツや生理用品（以下、単にパンツという。）に用いた例を図４〜図１１を用いて説明する。
すなわち、図４および図１０に示すように、パンツ１５の外装シート１６は、例えば通気性不織布で構成されて、外面側シート１６Ａと肌面側シート１６Ｂとは、パンツの外形状に形成されて、前腹部Ｐと後背部Ｑとの間の股部Ｒ両側にレッグ開口部Ｓが形成されている。なお、外面側シート１６Ａおよび／または肌面側シート１６Ｂは、通気性不織布であることが好ましい。
上記２枚重ねで接着する外面側シート１６Ａと肌面側シート１６Ｂとの間には、前後端部にウエスト用弾性部材１７が伸長状態で添設されるとともに、レッグ開口部Ｓの周囲にはレッグ用弾性部材１８が伸長状態で添設されている。
上記吸収体１は、肌面側シート１６Ｂの股部Ｒに接着されている。
そして、肌面側シート１６Ｂを内側にして外装シート１６を股部Ｒで折り重ね、両サイド部１６ａを接合することにより、パンツ１５が完成する。
上記のように構成したパンツ１５であっても、上記吸収体１で説明したのと同様に、股間全体に対する吸収体１全体の密着性が良好になり、体液吸収がより迅速になって横漏れするおそれが全くなくなる。
図５は、レッグ用弾性部材８の添設例を示すもので、（ａ）はレッグ開口部Ｓに円弧状に添設した例、（ｂ）は左右のレッグ開口部Ｓに連続するように股部ＲでＯ字状にクロスさせた例、（ｃ）は左右のレッグ開口部Ｓに連続するように股部Ｒでクロスさせない例、（ｄ）は左右のレッグ開口部Ｓに連続するように股部ＲでＸ字状にクロスさせた例である。
このように外装シート１６のレッグ開口部Ｓにレッグ用弾性部材１８を添設すれば、股部Ｒのずれ下がりを規制することも可能となり、股間全体に対する吸収体１全体の密着性が良好に維持できるので、立ち上がりフラップ５を不要にすることが可能である。
図４、図５および図１０の実施形態では、外装シート１６の外面側シート１６Ａと肌面側シート１６Ｂとに、前腹部Ｐと後背部Ｑとの間の股部Ｒ両側にレッグ開口部Ｓとが一体に形成したものであったが、図６、図７および図１１の実施形態のように構成することができる。
すなわち、パンツ１５は、外面側シート１６Ａと肌面側シート１６Ｂを前腹部Ｐと後背部Ｑに有しているが、股部Ｒに外装シート１６を有さない構成となっている。例えば図９に示すように、吸収体１が股間に密着するための弾力のあるベルトに取付けられている。
上記２枚重ねで接着する外面側シート１６Ａと肌面側シート１６Ｂとの間には、前後端部にウエスト用弾性部材１７が伸長状態で添設されているとともに、内側端部にレッグ用弾性部材１８が伸長状態で添設されている。
上記吸収体１は、前腹部Ｐと後背部Ｑとに跨るようにそれぞれの肌面側シート１６Ｂに接着されていて、吸収体１自体で股部Ｒとレッグ開口部Ｓとが形成されることになる。
そして、肌面側シート１６Ｂを内側にして外装シート１６を吸収体１の股部Ｒで折り重ね、両サイド部１６ａを接合することにより、パンツ１５が完成する。
上記のように構成したパンツ１５であっても、上記吸収体１で説明したのと同様に、股間全体に対する吸収体１全体の密着性が良好になり、体液吸収がより迅速になって横漏れするおそれが全くなくなる。
図７は、前腹部Ｐと後背部Ｑの形状とレッグ用弾性部材１８の添設例を示すもので、（ａ）は前腹部Ｐと後背部Ｑが長方形状で、長さ方向に直線状でレッグ用弾性部材１８を添設した例、（ｂ）は前腹部Ｐと後背部Ｑが台形状で、台形状に沿ってレッグ用弾性部材１８を添設した例、（ｃ）は前腹部Ｐと後背部Ｑが台形状で、長さ方向に直線状でレッグ用弾性部材１８を添設した例である。なお、吸収体１として、第２弾性部材１０が添設されたタイプを用いれば、第２弾性部材１０もレッグ用弾性部材１８としての作用を果たすので有利である。
図８は、図７（ａ）〜（ｃ）のレッグ用弾性部材１８の添設例に加えて、ボディフィット用弾性部材１９の添設例であって、レッグ用弾性部材１８とボディフィット用弾性部材１９とが吸収体１の下に殆ど無いように添設したものである。なお、１７は、ウエスト用弾性部材である。
図７（ａ）、図８（ａ）に示されるような使い捨て着用物品は、外装シートを２つに切断し拡幅して前腹部Ｐと後背部Ｑとを作成し、前腹部Ｐと後背部Ｑに跨るように吸収体を設置し、所定の間隔で、前腹部Ｐと後背部Ｑとを切断することにより、製造され得る。また、図７（ｂ）（ｃ）、図８（ｂ）（ｃ）に示されるような使い捨て着用物品は、上述の吸収体を設置した後に、部分Ｔをカットし、所定の間隔で、前腹部Ｐと後背部Ｑとを切断することにより、製造され得る。図７（ｂ）（ｃ）、図８（ｂ）（ｃ）では、部分Ｔの片ｔを直線で示しているが、片ｔは曲線であっても良い。片ｔが曲線であると、着用時の見栄えがさらに良くなるので好ましい。また、図７、図８においては、第２弾性部材１０が添設されたタイプの吸収体を使用した着用物品の例を示しているが、それ以外のタイプの吸収体を用いることもできる。
上記製造工程において、部分Ｔをカットするときに吸収体部分をカットしても良い。このような場合、レッグ開口部Ｓの形状が脚部にフィットするのに適した形となるので好ましい。
なお、上記製造工程においては、吸収体を設置した後に部分Ｔをカットする例を示したが、吸収体を設置する前に部分Ｔをカットしても良いし、外装シートを２つに切断する前に部分Ｔをカットしても良い。前腹部Ｐと後背部Ｑの設置した各吸収体の間を切断する前までであれば、部分Ｔをカットする工程を行う時点は問わない。
図９は、前腹部Ｐと後背部Ｑの形状とボディフィット用弾性部材１９とレッグ回り弾性部材２０の添設例を示すものである。
前腹部Ｐと後背部Ｑとは、図９（ｅ）に示すように、外装シート１６を長さ方向に蛇行させながら２つに切り分けるとともに、この切り分けたシートを、カット線ａでそれぞれカットして、このカット片の位相を半ピッチ分ずらせることにより、前腹部Ｐと後背部Ｑとを製作するものである（いわゆるＳカット）。
図９（ａ）〜（ｃ）は、上記Ｓカットした前腹部Ｐと後背部Ｑとを使用したもので、図９（ａ）は、ボディフィット用弾性部材１９が吸収体１の下には無いように添設したものである。なお、１７は、ウエスト用弾性部材である。
図９（ｂ）は、前腹部Ｐと後背部Ｑのレッグ回りフラップ部に、吸収体１の下に殆ど無いようにレッグ回り弾性部材２０を添設したものである。図９（ｃ）は、前腹部Ｐと後背部Ｑのレッグ回りフラップ部に、吸収体１の下に殆ど無いようにレッグ回り弾性部材２０を添設するとともに、吸収体１の中央部をやや細幅に形成してカーブ状のレッグギャザー２１を配置したものである。
図９（ｄ）は、Ｓカット変形（位相組み合わせ無し）の前腹部Ｐと後背部Ｑのレッグ回りフラップ部に、吸収体１の下に殆ど無いようにレッグ回り弾性部材２０を添設したものである。なお、吸収体１は、台形状（テーパ形状）に形成している。
図１〜図１１の実施形態は、吸収体１に第１弾性部材９（必要に応じて第２弾性部材１０）を添設したものであったが、図１２〜図１５に示す実施形態のように、外装シート１６に第１弾性部材９（第２弾性部材１０）を添設することができる。この場合には、吸収体１に第１弾性部材９（第２弾性部材１０）を添設していないタイプを用いることを基本とするが、第１弾性部材９（第２弾性部材１０）を添設したタイプを用いても差し支えはない。
図１２および図１４は第１例であって、パンツ１５の外装シート１６は、通気性不織布で構成されて、外面側シート１６Ａと肌面側シート１６Ｂとは、パンツの外形状に形成されて、前腹部Ｐと後背部Ｑとの間の股部Ｒ両側にレッグ開口部Ｓが形成されている。
上記２枚重ねで接着する外面側シート１６Ａと肌面側シート１６Ｂとの間には、第１弾性部材９が伸長状態で添設されている。
第１弾性部材９は、吸収体１の幅方向の略中央位置で、一定の間隔Ｈ１内で、所定の長さＨ２で近接状に延在するように左右一対で添設されて、近接部分９ａを形成している。上記間隔Ｈ１としては、５〜５０ｍｍ程度が適当であり、上記長さＨ２としては、１００〜３５０ｍｍ（幼児用は５０〜２５０ｍｍ）程度が適当である。
図１２に示した第１弾性部材９は、近接部分９ａの後端から後広がり状に後方Ｂに延在するように添着されて、後広がり部分９ｃを形成している。
また、第１弾性部材９は、近接部分９ａの前端から前広がりで前方Ｆに延在するように添着されて、前広がり部分９ｂが形成されても良い。この前広がり部分９ｂと後広がり部分９ｃは、略Ｖ字状であっても湾曲状であっても良い。
上記吸収体１は、肌面側シート１６Ｂの股部Ｒに接着されている。
そして、肌面側シート１６Ｂを内側にして外装シート１６を吸収体１の股部Ｒで折り重ね、両サイド部１６ａを接合することにより、パンツ１５が完成する。
上記のように構成した第１例のパンツ１５によれば、外装シート１６の略中央位置に、近接状の第１弾性部材９を添着して近接部分９ａを形成したものであるから、図３に示した吸収体１と同様に、この近接部分９ａの第１弾性部材９の収縮作用によって、外装シート１６の肌面側の中央部が所定の長さで盛り上がるようになり、これに伴って吸収体１の肌面側の中央部が所定の長さＨ２で山形に盛り上がるようになるので、吸収体１の股間中央部に対する密着性が良好になる。
また、第１弾性部材９は、近接部分９ａの後端から後広がり状に後方に延在するように添着して後広がり部分９ｃを形成したものであるから、この後広がり部分９ｃの第１弾性部材９の収縮作用によって、外装シート１６の肌面側の後部が後広がり状で盛り上がるようになり、これに伴って吸収体１の肌面側の後部が後広がり状で盛り上がるようになるので、股間後部（臀部の谷間）に対する密着性が良好になる。
さらに、第１弾性部材９は、近接部分９ａの前端から前広がりに前方に延在するように添着して前広がり部分９ｂを形成したものであるから、この前広がり部分９ｂの第１弾性部材９の収縮作用によって、外装シート１６の肌面側の前部が前広がり状で盛り上がるようになり、これに伴って吸収体１の肌面側の前部が前広がり状で盛り上がるようになっても良く、股間前部に対する密着性が良好になる。この結果、股間全体に対する吸収体１全体の密着性が良好になり、体液吸収がより迅速になって横漏れするおそれが全くなくなる。
図１３および図１５は第２例であって、パンツ１５の外装シート１６は、通気性不織布で構成されて、外面側シート１６Ａと肌面側シート１６Ｂとは、パンツの外形状に形成されて、前腹部Ｐと後背部Ｑとの間の股部Ｒ両側にレッグ開口部Ｓが形成されている。
上記２枚重ねで接着する外面側シート１６Ａと肌面側シート１６Ｂとの間には、第１弾性部材９が伸長状態で添設されている。
第１弾性部材９は、吸収体１の幅方向の略中央位置でクロスするとともに、所定の長さＨ２で略直線状に延在するように左右一対が対称で添設されて、近接部分９ａを形成している。上記長さＨ２としては、１００〜３５０ｍｍ（幼児用は５０〜２５０ｍｍ）程度が適当である。
また、各第１弾性部材９は、近接部分９ａの前端から前広がり状に前方Ｆに延在するように添着されて、前広がり部分９ｂを形成しているとともに、近接部分９ａの後端から後広がり状に後方Ｂに延在するように添着されて、後広がり部分９ｃを形成している。
上記吸収体１は、肌面側シート１６Ｂの股部Ｒに接着されている。
そして、肌面側シート１６Ｂを内側にして外装シート１６を吸収体１の股部Ｒで折り重ね、両サイド部１６ａを接合することにより、パンツ１５が完成する。
上記のように構成した第２例のパンツ１５でも、図１２および図１４の第１例のパンツ１５と同様に、股間全体に対する吸収体１全体の密着性が良好になり、体液吸収がより迅速になって横漏れするおそれが全くなくなる。
上記第２例のパンツ１５では、前腹部Ｐおよび後背部Ｑとレッグ開口部Ｓに沿った第１弾性部材９の前広がり状部分９ｂと後広がり状部分９ｃの一部がウエスト用弾性部材およびレッグ用弾性部材の一部として機能することになる。
【産業上の利用可能性】  本発明の使い捨て着用物品は、吸収体の裏面側の略中央位置に、略直線状の第１弾性部材を添着することにより、この第１弾性部材の収縮作用によって、吸収体の肌面側の中央部が所定の長さで盛り上がるようになるから、吸収体の股間中央部に対する密着性が良好になるので、体液吸収が迅速になって横漏れするおそれがなくなる。
また、第１弾性部材を直線近接部分の前端から前広がり状に前方に延在するように添着すると、前広がり状の第１弾性部材の収縮作用によって、吸収体の肌面側の前部が前広がり状で盛り上がるようになるから、股間前部に対する密着性が良好になる。
さらに、第１弾性部材を直線近接部分の後端から後広がり状に後方に延在するように添着すると、後広がり状の第１弾性部材の収縮作用によって、吸収体の肌面側の後部が後広がり状で盛り上がるようになるから、股間後部（臀部）に対する密着性が良好になる。特に上述の構成を併用すると、股間全体に対する吸収体全体の密着性が良好になり、体液吸収がより迅速になって横漏れするおそれが全くなくなる。
また、吸収体の裏面側における幅方向の両側位置に、所定の長さで略直線状に延在する第２弾性部材を添着すると、第１、第２弾性部材の相互収縮作用によって、吸収体の肌面側の中央部が所定の長さでより高く盛り上がるようになるから、股間中央部に対する密着性がより良好になる。
さらに、吸収体は、バックシートとトップシートと吸収性コアとを有して、第１部材または／および第２弾性部材は、２枚重ねのバックシートの間に添設すると、ラインによる生産が容易に行える。
さらにまた、吸収体の両側に立ち上がりフラップを設けると、吸収体の両側からの横漏れを確実に防止することができる。
また、前腹部と後背部との間の股部両側にレッグ用開口部を形成した外装シートを設け、吸収体は、外装シートの肌面側の股部に取付けると、使い捨てパンツタイプとすることができる。
本発明の他の使い捨て着用物品は、使い捨てパンツタイプの外装シートの略中央位置に、略直線状の第１弾性部材を添着することにより、この第１弾性部材の収縮作用によって、外装シートの肌面側の中央部が所定の長さで盛り上がるようになり、これに伴って吸収体の肌面側の中央部も所定の長さで盛り上がるようになるから、吸収体の股間中央部に対する密着性が良好になるので、体液吸収が迅速になって横漏れするおそれがなくなる。
また、第１弾性部材を直線近接部分の前端から前広がり状に前方に延在するように添着すると、前広がり状の第１弾性部材の収縮作用によって、外装シートの肌面側の前部が前広がり状で盛り上がるようになり、これに伴って吸収体の肌面側の前部が前広がり状で盛り上がるようになるから、股間前部に対する密着性が良好になる。
さらに、第１弾性部材は、直線近接部分の後端から後広がり状に後方に延在するように添着すると、後広がり状の第１弾性部材の収縮作用によって、外装シートの肌面側の後部が後広がり状で盛り上がるようになり、これに伴って吸収体の肌面側の後部が後広がり状で盛り上がるようになるから、股間後部（臀部）に対する密着性が良好になる。特に上述の構成を併用すると、股間全体に対する吸収体全体の密着性が良好になり、体液吸収がより迅速になって横漏れするおそれが全くなくなる。
【図１】
2004037145.tif 000003
【図２】
2004037145.tif 000004
【図３】
2004037145.tif 000005
【図４】
2004037145.tif 000006
【図５】
2004037145.tif 000007
【図６】
2004037145.tif 000008
【図７】
2004037145.tif 000009
【図８】
2004037145.tif 000010
【図９】
2004037145.tif 000011
【図１０】
2004037145.tif 000012
【図１１】
2004037145.tif 000013
【図１２】
2004037145.tif 000014
【図１３】
2004037145.tif 000015
【図１４】
2004037145.tif 000016
【図１５】
2004037145.tif 000017
【手続補正書】
【提出日】平成16年3月10日(2004.3.10)
【手続補正００１】
【補正対象書類名】特許請求の範囲
【補正対象項目名】特許請求の範囲
【補正方法】変更
【補正の内容】
【特許請求の範囲】
【請求項１】
（補正後）吸収体の裏面側における幅方向の略中央位置に、所定の長さで略直線状に延在する第１弾性部材が添着されている使い捨て着用物品であって、前記第１弾性部材は、直線近接部分の前端から前広がり状に前方に延在する、および／または直線近接部分の後端から後広がり状に後方に延在するように添着されていることを特徴とする使い捨て着用物品。
【請求項２】
（削除）
【請求項３】
（削除）
【請求項４】
（削除）
【請求項５】
（削除）
【請求項６】
（削除）
【請求項７】
（削除）
【請求項８】
（補正後）肌面側に吸収体が取付けられた外装シートの幅方向の略中央位置に、長さ方向に所定の長さで略直線状に延在する第１弾性部材が添着されている使い捨て着用物品であって、前記第１弾性部材は、直線近接部分の前端から前広がり状に前方に延在する、および／または直線近接部分の後端から後広がり状に後方に延在するように添着されていることを特徴とする使い捨て着用物品。
【請求項９】
（削除）
【請求項１０】
（削除）
【請求項１１】
（削除）
【国際調査報告】
2004037145.tif 000018
2004037145.tif 000019
2004037145.tif 000020
2004037145.tif 000021
2004037145.tif 000022
2004037145.tif 000023